(57)【要約】  【課題】縫い目はもちろん縫製糸が取着製品の表面に表出せずデザイン性に優れ、スライドファスナーの開閉操作性にも優れた隠しスライドファスナー用のスライダーと同スライダーを適用した耐久性ある隠しスライドファスナーとを提供する。  【解決手段】左右一対のファスナーテープ(11)の対向する側縁部をＵ字状に折り返して２重とされた各折返し側縁部(15)の裏面側の折返し片(15a) にファスナーエレメント(14)が連続的に取り付けられた隠しスライドファスナー(10)の各ファスナーエレメント列(12)を噛合・分離させるスライダー(20)である。スライダー(20)は、連結柱(25)で連結された上下翼板(23,24) を有するとともに、下翼板(24)の左右側縁に直交して上翼板(23)に接近するフランジ(27)を有している。前記上下翼板(23,24) の間には、２重に折り返された前記各折返し側縁部(15)と前記各ファスナーエレメント列(12)とが同時に挿通案内される案内通路(28)を有している。  【選択図】図２
2006015069.tif 000002
【特許請求の範囲】
【請求項１】
左右一対のファスナーテープ(11)の対向する側縁部をＵ字状に折り返して２重とされた各折返し側縁部(15)の裏面側の折返し片(15a) にファスナーエレメント(14)が連続的に取り付けられた隠しスライドファスナー(10)の各ファスナーエレメント列(12)を噛合・分離させるスライダーであって、
連結柱(25)で連結された上翼板(23)及び下翼板(24)を有し、
前記下翼板(24)の各左右側縁に直交して前記上翼板(23)に向けて接近する下フランジ(27)を有し、
前記上翼板(23)と下翼板(24)との間には、前記ファスナーテープ(11)の２重に折り返された各折返し側縁部(15)と前記各ファスナーエレメント列(12)とを噛合・分離可能な姿勢で挿通案内する案内通路を有してなる、
ことを特徴とする隠しスライドファスナー用スライダー。
【請求項２】
前記連結柱(25)の左右側面の上部に沿って上翼板(23)との間に配され、上翼板(23)から下翼板(24)に向けて突出する突条(25a) が設けられてなる請求項１記載のスライダー。
【請求項３】
前記突条(25a) の下端面と下翼板(24)との間に上記ファスナーエレメント列(12)を噛合・分離可能な姿勢で案内するエレメント案内空間が形成され、
前記突条(25a) の側面と前記エレメント案内空間と前記上翼板(23)とにより囲まれる空間は、各ファスナーテープ(11)の前記折返し側縁部(15)がファスナーエレメント列(12)の噛合・分離可能な姿勢を保持して収容案内するテープ側縁部案内空間を構成してなる請求項２記載のスライダー。
【請求項４】
前記突条(25a) の下端面は、前記エレメント案内通路の内方側から外方側へ向けて上向き傾斜する傾斜面(25a-1) に形成されてなる請求項２記載のスライダー。
【請求項５】
前記上翼板(23)の左右下面にはスライダーの前後方向に延在し、前記連結柱(25)から外側に向けて下向き傾斜して膨出する膨出条が設けられてなる請求項１記載のスライダー。
【請求項６】
前記上翼板(23)及び下翼板(24)の左右側縁における上下方向の間隙は上記折返し側縁部(15)以外のファスナーテープ主体部(16)だけが挿通できる寸法に設定されてなる請求項１記載のスライダー。
【請求項７】
側縁に沿ってＵ字状に折り返され２重とされた折返し側縁部(15)と同側縁部(15)を除くテープ主体部(16)とからなる左右一対のファスナーテープ(11)、同ファスナーテープ(11)の前記折返し側縁部(15)の各折返し片(15a) に沿って取り付けられた左右のファスナーエレメント列(12)、及び同ファスナーエメント列(12)に沿って摺動し、左右のファスナーエレメント列(12)の噛合・分離を行うスライダーを備えた隠しスライドファスナー(10)であって、
前記スライダーが連結柱で連結された上翼板(23)及び下翼板(24)を有し、
前記下翼板(24)の左右側縁に直交して前記上翼板(23)に接近するフランジを有してなり、
前記上翼板(23)と下翼板(24)との間には、前記ファスナーテープの２重に折り返された前記各折返し側縁部(15)とその折返し片(15a) に取り付けられた各ファスナーエレメント列(12)とを噛合・分離可能な姿勢で挿通案内する案内通路が形成されてなる、
ことを特徴とする隠しスライドファスナー。
【発明の詳細な説明】
【技術分野】
【０００１】
この発明は、隠しタイプのスライドファスナー用に好適なスライダーと、そのスライダーを装着した隠しスライドファスナーに関する。
【背景技術】
【０００２】
従来のスライドファスナーの代表的なタイプは、通常タイプと隠しタイプの２種類に大別される。通常のタイプのスライドファスナー１００は、図８に示すように２枚のファスナーテープ１０１の対向するエレメント取付縁部の表面又は表裏面を跨いで多数のファスナーエレメント１０２がそれぞれ取り付けられて左右のファスナーストリンガー１０３を構成している。この左右のファスナーストリンガー１０３の各ファスナーエレメント１０２が前記ファスナーテープ１０１のエレメント取付縁部とともにスライダー１０４の案内通路に挿通される。スライダー１０４は、スライダー胴体１０５と同スライダー胴体１０５に取り付けられた引手１０６とを有している。
【０００３】
前記スライダー胴体１０５は、上下翼板１０５ａ，１０５ｂと同上下翼板１０５ａ，１０５ｂを連結する連結柱１０５ｃとを備えている。この連結柱１０５ｃは上下翼板１０５ａ，１０５ｂを連結するとともに、上下翼板１０５ａ，１０５ｂの間の空間を左右のファスナーストリンガー１０３の多数のファスナーエレメント１０２からなる左右の各ファスナーエレメント列１０７を分離して挿通する左右の肩口と、同ファスナーエレメント列１０７を噛合状態で挿通する１つの後口とが連通するＹ字状のエレメント案内通路を画成している。上下翼板１０５ａ，１０５ｂの各左右側縁には、同上下翼板１０５ａ，１０５ｂに直交して互いが接近する上下フランジ１０５ａ−１，１０５ｂ−１を有しており、この上下フランジ１０５ａ−１，１０５ｂ−１間の間隙に上記ファスナーテープ１０１をスライダー胴体１０５の内外にわたって挿通させる。
【０００４】
すなわち、この通常タイプのスライドファスナー１００では、スライダー胴体１０５のエレメント案内通路をファスナーテープ１０１の同一平面上に配されたファスナーエレメント列１０７がファスナーテープ１０１を折り返すことなく挿通されてされている。そのため、スライドファスナー１００の開閉時のいずれにあっても、ファスナーエレメント１０２が外部に露呈することになる。また、同時にファスナーテープ１０１に対するファスナーエレメント列１０７の、例えば縫製糸１０８も外部に露呈する。
【０００５】
一方で、近年になってデザイン的観点から、ファスナーエレメントが表面側から見えない隠しスライドファスナーを用いる要望が高まっており、この隠しスライドファスナーが衣服や靴等にも多く用いられるようになっている。一般的な隠しスライドファスナーの一例が、例えば特許第３４３９６０５号公報（特許文献１）に開示されている。この特許文献１にあっても同様であるが、隠しタイプのスライドファスナー２００は、図９に示すように、一般的に２枚のファスナーテープ２０１の対向するエレメント取付縁部を長さ方向に沿ってＵ字状に折り返して折返し側縁部２０１ａを成形し、その折返し側縁部２０１ａの折返し片２０１ａ−１の下面側に多数のファスナーエレメント２０２が縫製により取り付けられて左右のファスナーストリンガー２０３を構成する。
【０００６】
この左右のファスナーストリンガー２０３の各ファスナーエレメント列２０４が、ファスナーテープ２０１の前記折返し片２０１ａ−１とともにスライダー２０５の案内通路に挿通される。このとき、各ファスナーテープ２０１の前記折返し片２０１ａ−１とファスナーエレメント列２０４以外のテープ部分はスライダー胴体２０６の表面側を被覆する。そのため、この種の隠しスライドファスナーに適用されるスライダー２０５の胴体２０６は、通常、下翼板２０６ｂの左右中央部に肩口から後口にかけて延在する案内柱２０６ｃを設けるとともに、下翼板２０６ｂの左右側縁に沿って立ち上がる立上り部分２０６ｄ−１と、その上端縁から互いに接近して水平に延びる水平部分２０６ｄ−２とを有する逆Ｌ字断面のエレメント案内フランジ２０６ｄが設けられている。
【０００７】
また、前記案内柱２０６ｃの上面には引手取付部２０６ｃ−１が突設され、同引手取付部２０６ｃ−１には引手２０７が前後に回動自在に取り付けられている。この引手取付部２０６ｃ−１は左右ファスナーストリンガー２０３の対向するテープ折返し部の間から上方に突出する。そのため、ファスナーエレメント列２０４も、その縫製糸もファスナーテープの裏面側に隠れて外部から視えず、同スライドファスナー２００を閉鎖したときには同ファスナー２００の取着製品の開閉部は単なるシーム線が表出するに過ぎず、外観上スッキリと見せることができる。
【０００８】
しかしながら、このような複雑な構成を有する隠しスライドファスナーに代えて、例えば米国特許第５，００８，９８６号明細書（特許文献２）により提案された隠しタイプのスライドファスナーが知られている。この特許文献１では、上記図８に示した通常のスライドファスナーにあって、スライダーの上下翼板の構造を変えないまま、ファスナーテープの上面側に取り付けたファスナーエレメント列を下面側に取り付けている。しかし、単にファスナーエレメント列をファスナーテープの下面側に取り付けるだけだと、ファスナーテープの相対する端縁間に隙間ができて、その隙間からは相変わらずファスナーエレメント列が外から視えてしまう。
【０００９】
そこで同文献１では、更に前記ファスナーテープの端縁を通常の位置よりもファスナーエレメントの噛合頭部側に延出させて、スライドファスナーの開閉時、特に閉鎖時には前記ファスナーテープの対向端縁同志が互いに押圧して密接させ、ファスナーエレメント列を外部から視えないようにしている。また、ファスナーテープに防水性を与えれておけば、前述のようにファスナーテープの対向端縁同志が互いに押圧して密接するため、端縁間の隙間からはファスナーエレメントを介して水分が内側に浸入しなくなり、特に靴や防水性外衣などに適した構造となる。
【特許文献１】特許第３４３９６０５号公報
【特許文献２】米国特許第５，００８，９８６号明細書
【発明の開示】
【発明が解決しようとする課題】
【００１０】
しかしながら、前記特許文献２によればファスナーエレメント列はファスナーテープの下面ではあるが、ファスナーテープが折り返されないままに縫着糸により縫着されているため、その縫製糸自体は表面に露呈する。例えば各種スポーツ用の靴のように激しい当たりが繰り返される製品に特許文献２に開示された隠しタイプのスライドファスナーが適用される場合、前述のように縫着糸が外部に表出していると、同縫製糸に外力が直接作用し、或いは周辺の用具などが縫着糸に引っ掛かり、切断しやすくなる。また、例えば防水性衣服に同スライドファスナーが適用された場合には、その縫い目が直接外部に露呈しているため、同縫い目を通して水分が内側に浸入し、期待するほどの防水効果が得にくい。
【００１１】
一方、図１０に示したような一般的な構造をもつ隠しスライドファスナー用のスライダー２０５の場合、これを特に靴類などのような身体に密着する装身具に適用しようとすると、ファスナーテープ２０１のＵ字状断面をもつ折返し側縁部２０１ａの折返し部分の内面が、スライダー２０５の下翼板２０６ｂの左右端縁から立ち上がる逆Ｌ字状フランジ部２０６ｄの水平部分２０６ｄ−２の端縁に強く密着して摺動されることになり、摺動抵抗が大きくなって、その部分で磨耗が促進され耐寿命性にも影響を与えかねない。更に、この一般的な構造をもつ隠しスライドファスナー２００にあっては、ファスナーテープ２０１にテープ巾方向の引っ張り力が加わると、逆Ｌ字状フランジ部２０６ｄの水平部分２０６ｄ−２の端縁によって折返し側縁部２０１ａのテープ主体部に続く部分が強く引っ張られて、下翼板２０６ｂと案内柱２０６ｃと逆Ｌ字状フランジ部２０６ｄとの間に存在するファスナーエレメント２０２が斜めに立ち上がりやすくなり、安定した姿勢を維持できなくなりる。その結果、ファスナーエレメント２０２の噛合に影響を与えかねず、或いはＵ字状に折り返された折返し側縁部２０１ａが開く方向に変形して、見栄えを悪くしてしまう恐れもある。
【００１２】
本発明は、こうした従来の隠しスライドファスナー用スライダーの特有の構造に基づく様々な課題を解決すべくなされたものであり、その具体的な目的は縫い目はもちろん縫製糸が取着製品の表面に表出せずデザイン性に優れ、、同時にスライドファスナーの開閉操作性にも優れた隠しスライドファスナー用のスライダーと同スライダーを適用した耐久性ある隠しスライドファスナーとを提供することにある。
【課題を解決するための手段】
【００１３】
かかる目的は、本発明に係る隠しスライドファスナー用スライダーの基本構成である、左右一対のファスナーテープの対向する側縁部をＵ字状に折り返して２重とされた各折返し側縁部の裏面側の折返し片にファスナーエレメントが連続的に取り付けられた隠しスライドファスナーの各ファスナーエレメント列を噛合・分離させるスライダーであって、連結柱で連結された上翼板及び下翼板を有し、前記下翼板の左右側縁に直交して前記上翼板に接近するフランジを有し、前記上翼板と下翼板との間には、前記ファスナーテープの２重に折り返された各折返し側縁部と前記各ファスナーエレメント列とが挿通案内される案内通路を有してなることを特徴とする隠しスライドファスナー用スライダーにより達成される。
【００１４】
また、前記スライダーを装着した本発明に係る隠しスライドファスナーの基本構成は、側縁に沿ってＵ字状に折り返され２重とされた折返し側縁部と同側縁部を除くテープ主体部とからなる左右一対のファスナーテープ、同ファスナーテープの前記折返し側縁部の各折返し片に沿って取り付けられた左右のファスナーエレメント列、及び同ファスナーエメント列に沿って摺動し、左右のファスナーエレメント列の噛合・分離を行うスライダーを備えた隠しスライドファスナーであって、前記スライダーが連結柱で連結された上翼板及び下翼板を有し、同下翼板の各左右側縁に直交して上翼板に接近するフランジを有してなり、前記上翼板と下翼板との間には、前記ファスナーテープの２重に折り返された前記各折返し側縁部とその折返し片に取付けられた各ファスナーエレメント列とが挿通案内される案内通路を形成してなることを特徴としている。
【００１５】
本発明の上記スライダーにあっては、前記上翼板及び下翼板の左右側縁における上下方向の間隙は上記折返し側縁部以外のファスナーテープ主体部だけが挿通できる寸法に設定されている。また本発明のスライダーにあって、上記連結柱の左右側面の上部に沿って上翼板との間に配され、上翼板から下翼板に向けて突出する突条が設けられ、同突条の下端面と下翼板との間に上記ファスナーエレメント列を噛合・分離可能な姿勢で案内するエレメント案内空間が形成され、前記突条の側面と前記エレメント案内空間と前記上翼板とにより囲まれる空間は、各ファスナーテープの前記折返し側縁部がファスナーエレメント列の噛合・分離可能な姿勢を保持して収容案内するテープ側縁部案内空間を構成することが好ましい。更に好ましい態様によれば、前記突条の下端面を、前記エレメント案内通路の内方側から外方側へ向けて上向き傾斜する傾斜面に形成する。また、前記上翼板の左右下面にはスライダーの前後方向に延在し、前記連結柱から外側に向けて下向き傾斜して膨出する膨出条を設けることもできる。
【作用効果】
【００１６】
本発明による隠しスライドファスナーのスライダーによれば、上下翼板の間の連結柱を挟んだ左右の案内通路に、ファスナーテープの折返し側縁部が２重に折り返された状態で、その折返し片に取り付けられたファスナーエレメントとともに収容されるため、従来のように逆Ｌ字状フランジ部の水平部分の端縁によって折返し側縁部の折返し部分に局部的な密着摺動力が加わらず、また仮りに左右のファスナーテープに左右方向への強い引っ張り力が加わってもファスナーエレメントが斜めに立ち上がることがなく、ファスナーテープの折返し部分も開くことがない。そのため、スライダーの摺動操作が円滑になされると同時にファスナーエレメントを確実に噛合・分離させることができ、またテープの耐久性も増加し、本発明の隠しスライドファスナーを装着した製品の外観上の見栄えにも影響を与えることがなくなる。
【００１７】
本発明において、上記連結柱の左右側面に沿って上翼板から下翼板に向けて突出する突条を設けると、同突条の下端面と下翼板との間に上記ファスナーエレメント列を案内するエレメント案内空間と、前記突条の側面、前記エレメント案内空間及び前記上翼板により囲まれる空間を各ファスナーテープの前記折返し側縁部を収容案内するテープ側縁部案内空間とに画成することができ、エレメント案内通路内でファスナーエレメントが不用意に立ち上がることもなくなる。従って、ファスナーエレメント列はエレメント案内空間を案内されて摺動する一方で、各ファスナーテープのＵ字状の前記折返し側縁部はファスナーエレメントとは独立してテープ側縁部案内空間を摺動案内されるため、両者の摺動姿勢が一定に維持され、ファスナーエレメントの噛合・分離が円滑になされる。
【００１８】
更に前記突条の下端面を、前記エレメント案内通路の内方側から外方側へ向けて上向き傾斜する傾斜面に形成しておけば、テープ側縁部案内空間を摺動案内されるファスナーテープのＵ字状の前記折返し側縁部の形態も安定化する。また、ファスナーエレメントが立ち上がろうとして突条の下端面に当接しても、この下端が傾斜面に形成されているため、ファスナーエレメントに傷を負わせることがない。
【００１９】
また、前記上翼板の左右下面に、スライダーの前後方向に延在し、前記連結柱から外側に向けて下向き傾斜して膨出する膨出条を設ける場合には、左右のファスナーテープに対して左右方向の力、つまり隠しスライドファスナー用チェーンに横引き力が加わって、ファスナーエレメントが傾こうとすると、ファスナーテープが膨出条と面接触して、ファスナーテープとの間の摩擦抵抗を大きくし、ファスナーエレメントの傾斜姿勢をし難くすることができる。このとき、ファスナーテープは膨出条の傾斜する下面に沿って面接触するためファスナーテープを傷つけることもない。
【００２０】
上記スライダーにあって、前記下翼板のフランジと上翼板との間の間隙を上記折返し側縁部を除くファスナーテープ主体部が挿通可能な寸法に設定すると、スライダーの内部に収容されたファスナーテープの折返し側縁部とファスナーエレメントとの収容形態を変えることなく、スライダーを円滑に摺動させることができるようになる。
【発明を実施するための最良の形態】
【００２１】
以下、本発明の隠しスライドファスナー用スライダーの好適な実施形態について、図面を参照しながら具体的に説明する。
図１は、本発明のスライダー２０を装着した隠しスライドファスナー１０の一部を示す平面図である。この図から理解できるように同スライドファスナー１０は一見すると、スライダー２０の上翼板２１がファスナーテープ１１の表面側に表出し、同上翼板２１には引手２２が設けられているため、通常タイプのスライドファスナーの様相を呈している。しかるに詳細に観察すると、ファスナーエレメント列１２が噛合して左右のファスナーストリンガー１８が閉じられた状態では、前記ファスナーエレメント列１２がスライドファスナー１０の表面から全く見えない状態となっていることが分かる。この点から、同図に示されたスライドファスナー１０は隠しタイプであることが察せられる。
【００２２】
図１に示す本実施形態に係る隠しスライドファスナー１０の基本構造について、図２〜図６を参照しながら詳しく説明する。
図２は図１のII-II 線に沿った矢視断面図である。本実施例の隠しスライドファスナー１０にあって、スライダー内部で噛合状態にあるファスナーエレメント１４をスライダー２０の後口側から見た部分断面を示している。
同図において、左右一対のファスナーテープ１１の対向側縁部は、双方ともに下側に２つ折りにされており、本明細書ではこの２つ折りされた部分を折返し側縁部１５と称している。すなわち、この折返し側縁部１５は、テープ主体部１６から延在し、Ｕ字状に下側に折り返された折返し片１５ａを含む２重に重なった部分の全体を総称している。ファスナーテープ１１の一側縁部が前述のように折り返されたのち、熱セットなどによってその形態が永久的に固定される。この折返し側縁部１５の前記折返し片１５ａの下面にファスナーエレメント列１２が縫着糸１７によって二重環縫いされて縫着一体化し、左右のファスナーストリンガー１８を構成する。このとき、本実施形態の隠しスライドファスナー１０のファスナーテープにあっても、従来と同様に、前記折返し側縁部１５のテープ主体部１６から延在するテープ部分は折返し片１５ａから浮き上がった状態にあり、前記縫着糸１７による縫着がなされていない。なお、図２に示す符号１９はファスナーエレメント列１２のコイル内に挿通された芯紐である。
【００２３】
前記折返し片１５ａの下面に縫着された本実施形態におけるファスナーエレメント１４は、熱可塑性樹脂からなる一本の線条（モノフィラメント）をコイル状に成形するとともに、その各コイル部分の一部に噛合頭部１４ａを直線状に配して成形された連続状のファスナーエレメント列１２から構成されている。すなわち、各ファスナーエレメント１４を構成するコイル部分は、前記噛合頭部１４ａと同噛合頭部１４ａの上下からほぼ水平に延びる上下脚部１４ｂと隣接するファスナーエレメント１４の上下脚部１４ｂを連結する連結部１４ｃとからなる。
【００２４】
一方、前述の構成をもつ左右のファスナーストリンガー１８の前記ファスナーエレメント列１２を挿通案内して、対向する各ファスナーエレメント１４の噛合・分離操作を行う本発明の特徴部をなす本実施形態による上記スライダー２０は、図２〜図５に示すように、スライダー胴体２１と引手２２とを備えている。スライダー胴体２１は上翼板２３、下翼板２４、及び上下翼板２３，２４を中央部で連結する連結柱２５を有している。前記上翼板２３及び下翼板２４の各左右側端には、同上翼板２３及び下翼板２４と直交する方向で互いに接近するように延出し、それぞれが左右一対となった上下のフランジ２６，２７が形成されている。その上下フランジ２６，２７間には間隙が設けられており、この間隙の寸法は上記ファスナーテープ１１のテープ主体部１６だけが挿通するに十分な寸法に設定される。なお、本実施形態では上下翼板２３，２４の左右側縁に、それぞれ上下フランジ２６，２７を形成しているが、上翼板２３にフランジ２６を形成することなく、下翼板にだけフランジ２７を形成することもでき、その場合には下翼板２４の下部フランジ２７と上翼板との間の間隙をテープ主体部１６だけが挿通できるに十分な間隙に設定する。
【００２５】
前記連結柱２５と、上下翼板２３，２４と、上下左右の各側フランジ２６，２７との間には、肩口から後口に向けて分れている通路が合流して単一の通路となるＹ字状の案内通路２８が形成されている。本実施形態にあって、最も重要な点は上翼板２３の存在と前記案内通路２８の高さとにある。本発明のスライダー構造及び前記案内通路２８と、図９に示した従来の隠しスライドファスナー用スライダー２０５の構造及びエレメント案内通路とを比較すると、その差は明らかであり、本発明のスライダー２０では図８に示した通常タイプのスライドファスナー用スライダー１００と同様に平面的に連続する平板状の上翼板２３が設けられており、図８に示した通常タイプのスライドファスナー用スライダーのエレメント案内通路と比較しても、或いは図９に示した一般的な隠しスライドファスナー用のスライダー２０５と比較しても、本発明における上記案内通路２８の高さ寸法いずれも大きく設定されている点に大きな差異がある。
【００２６】
つまり、図８に示した通常タイプのスライドファスナー用スライダー１０５及び図９に示した従来の一般的な隠しスライドファスナー用のスライダー２０５では、ファスナーエレメントの案内通路には、ファスナーエレメント列１０４，２０４と単一枚からなるファスナーテープ１０１，２０１とが挿通案内されるだけの高さに設定されているのに対して、本実施例における隠しスライドファスナー用のスライダー２０は、図２に最も具体的に例示するとおり、ファスナーエレメント１４の案内通路２８には、ファスナーエレメント列１２とファスナーテープ１１が折り返されて２重となった折返し側縁部１５ａとが挿通案内される高さに設定されている点で大きな差異がある。
【００２７】
図示例では、更に上記上翼板２３の下面と連結柱２５の左右側面との隅部には、左右のファスナーエレメント列１２が分離した状態で移動する上記スライダー２０の肩口側から左右のファスナーエレメント列１２が噛合した状態で移動する後口側に向けて、連結柱２５の肩口側の途中から後口側端部まで左右側面に沿って延びるとともに、左右外方に向けて突出する突条２５ａが形成されている。前記上翼板２３には、前記連結柱２５の後口側の端面から後口に向けて先細り状のランド部２９が形成されており、前記突条２５ａの先端は前記ランド部２９の基端に連続して接続されている。更に、この左右の突条２５ａの各下面は、図５に示すように左右方向に向けてそれぞれ上向き傾斜する傾斜面２５ａ−１とされている。また本実施形態にあっては、更に図４及び図５に示すように、上翼板２３の左右側縁部の下面には、それぞれ外側に向けて下向きに傾斜して膨出する膨出条２３ａがスライダー２０の前後方向に延在している。
【００２８】
一方、前記上翼板２３の上面には、左右一対の引手保持柱３０が突設され、その左右の引手保持柱３０間に、引手２２の軸部２２ａが枢支されている。この軸部２２ａの中央には周面にカム面２２ｂが形成され、引手２２の回動により後述する停止爪付きスプリング３１の爪部３１ａを上下に移動させて、スライダー２０内で噛合する左右ファスナーストリンガー１８の一方のファスナーエレメント列１２に係合離脱して、スライダー２０の摺動を不能にし、或いは摺動を可能にする。そのため、上記ランド部２９の中央部には前記爪部３１ａが挿通可能な爪部挿通孔２９ａが形成されている。前記停止爪付きスプリング３１は、図６に示すように２段の階段状に屈曲形成された板バネ片から構成され、前記爪部３１ａはその上段の先端から下方に向けて略直角に屈曲して突設されている。
【００２９】
前記停止爪付きスプリング３１をスライダー２０に装着するため、図６に示すように、上記上翼板２３の上面の上記左右一対の引手保持柱３０の前後に、それぞれ前柱３２と後柱３３とが形成されるとともに、前記後柱３３の前端部から上記連結柱２５の前端部にかけて前記停止爪付きスプリング３１を収容するためのスプリング収容溝３４が形成されている。この収容溝３４の後端部には、後柱３３の前端面を含んで上記爪部挿通孔２９ａが貫通して形成されるとともに、前記スプリング収容溝３４の前端部にも前記停止爪付きスプリング３１の前記爪部３１ａとは反対側の基端部３１ｂが係着するスプリング係着孔２５ｂが前記連結柱２５を貫通して形成されている。前記後柱３３は上記左右一対の前記引手保持柱３０の後面に隣接して、その中央に立設され、前記前柱３２は前記引手保持柱３０の前面に隣接して、前記停止爪付きスプリング３１を挟んで立設され、前記連結柱２５の上方に延在する左右一対の立壁部を含んでいる。
【００３０】
かかる引手２２及び停止爪付きスプリング３１の装着構造は、例えば実公昭６３−１８５４号公報に開示された装着構造と実質的に変わるところがないため、詳しくは同公報を参照されたい。
【００３１】
以上の構成を備えた本実施形態による隠しスライドファスナー１０によれば、上下翼板２３，２４の間に連結柱２５を挟んで形成されたＹ字状の案内通路２８は、ファスナーテープ１１の折返し側縁部１５とファスナーエレメント列１２が十分に案内移動できる高さと幅とを有しているため、同案内通路内２８内にファスナーテープ１１の折返し側縁部１５とファスナーエレメント列１２を挿通させた状態で、しかもファスナーテープ１１のテープ主体部１６を上下翼板２３，２４の間に形成された間隙に挿通された状態で前後に摺動する。そのため、本実施形態による隠しスライドファスナー１０は、その表面に上翼板２３の上面が露呈し、一見すると通常一般のスライドファスナーと見間違う。しかるに、左右のファスナーストリンガー１８について見ると、図１及び図８に示すとおり、左右のファスナーテープ１１の相対する端縁部には、その表面に縫着糸１７が一切表出せず、極めて見栄えに優れたものとなる。特に、過酷な条件下で使われるスポーツ靴やスポーツウェアなどの装身具や衣料に装着されると、本実施形態の隠しスライドファスナー１０を閉鎖したとき、そのファスナーストリンガー１８の突き合わせ部分が確実に密着して、確実な防水性が得られるようになる。
【００３２】
いま、本実施形態の隠しスライダー２０を左右のファスナーストリンガー１８上で、その長さ方向の前後に摺動させるには、図６に仮想線で示すように、引手２２を上方に回動させると、軸部２２ａも回動してカム面２２ｂにより停止爪付きスプリング３１が基端部３１ｂを中心に上方に回動して停止爪付きスプリング３１を持ち上げ、上翼板２３に形成されている爪部挿通孔２９ａから上下翼板２３，２４の間に形成されている案内通路１８へと突出している爪部３１ａを同爪部挿通孔２９ａの内部へと引き込み、長さ方向に隣接する図示せぬファスナーエレメント間に浸入して係合していた爪部３１ａの係合を外し、スライダー２０の摺動を可能にする。引手２２を、図６に実線で示すように、上翼板２３の上面に平行になるように倒伏させると、軸部２２ａのカム面２２ｂにより停止爪付きスプリング３１が原形に復し、爪部３１ａは前記爪部挿通孔２９ａから上下翼板２３，２４の間の案内通路２８へと突出して、長さ方向に隣接する図示せぬファスナーエレメント間に浸入して係合し、スライダー２０の摺動を不能にする。
【００３３】
本実施形態にあっては、スライダー２０が肩口（前部）方向に移動すると、上下翼板２３，２４間に形成された案内通路２８に沿って一緒に挿通されたファスナーエレメント列１２及び左右の折返し側縁部１５の左右ファスナーエレメント列１２は後口側へと相対的に移動し、分離状態にあるファスナーストリンガー１８はランド部２９を通過するとき噛合して、スライドファスナー１０は閉鎖される。反対にスライダー２０を後口（後部）方向に移動すると、上下翼板２３，２４間に形成された案内通路２８に沿って一緒に挿通されたファスナーエレメント列１２及び左右の折返し側縁部１５の噛合状態にある左右ファスナーエレメント列１２は、後口側から肩口側へと相対的に移動する間に連結柱２５により噛合が解除され左右のファスナーストリンガー１８に分離され、スライドファスナー１０を開く。
【００３４】
図２は、スライダー２０の後口側から見た隠しスライドファスナーの断面図であるが、同図から理解できるように、左右のファスナーエレメント列１２は噛合状態にある。また、同時に左右のファスナーテープ１１の折返し側縁部１５はテープ本体１６と折返し片１５ａとが２重に重なった状態で上下翼板２３，２４の間の案内通路２８に挿通されて、その折返し端同士がしっかりと密着している。一方、図７は前述と同様に左右のファスナーテープ１１の折返し側縁部１５はテープ本体１６と折返し片１５ａとが２重に重なった状態で上下翼板２３，２４の間の案内通路２８に挿通されているが、左右のファスナーエレメント列１２は噛合状態にはない状態を示している。
【００３５】
すなわち、図７はファスナーエレメント列１２がスライダー２０の連結柱２５の側面を相対的に移動しているときの状態を示している。スライドファスナーの左右のファスナーテープ１１はそれぞれ左右方向に向けて引っ張られる、いわゆる横引きがなされることが多い。その結果、特に本発明のような隠しスライドファスナー１０にあっては、ファスナーエレメント１４は、左右のファスナーテープ１１の緯引き力によって、案内通路２８内で係合頭部１４ａが立ち上がり大きく傾斜することが多くなる。このようにファスナーエレメント１４が立ち上がってしまうと、特にランド部２９を通過しながら互いに噛合しようとする左右のファスナーエレメント１４の噛合頭部１４ｃの姿勢が大きく変わってしまい、上手く噛合できなくなることが多い。
【００３６】
本実施形態では、こうした不具合を回避するため、図７に示すように連結柱２５の上部側面にランド部２９まで続く突条２５ａを突出させている。しかも、この突条２５ａの下面は外側に向けて上り傾斜する傾斜面２５ａ−１を形成している。この傾斜面２５ａ−１の存在により、ファスナーテープ１１の緯引きにより生じる強力な力にも滑らかな姿勢移動がなされるようになり、ファスナーエレメント１４を傷付けることもなくなる。更に本実施形態では、上翼板２３の前記突条２５ａと対応する位置にあって、その下面の途中から側縁にかけて膨出条２３ａを下向き傾斜させてフランジ２６の肩口側端まで下方に膨出させている。
【００３７】
この膨出部２３ａの存在により、ファスナーテープ１１に緯引き力が作用してファスナーエレメント１４が立ち上がろうとするとき、前記膨出部２３ａの膨出傾斜面２３ａ−１にファスナーテープ１１の折返し側縁部１５が沿うようにして当接し、その面接触による摩擦抵抗が増加し、ファスナーエレメント１４のそれ以上の傾きを抑制する。その結果、スライダー２０の摺動操作が円滑になされると同時にファスナーエレメント１４を確実に噛合・分離させることができ、また従来の隠しスライドファスナーのようにファスナーテープの折返し端の内面が逆Ｌ字状フランジの水平部分の端縁に摺接することがなくなり、ファスナーテープの耐久性をも増加させることができるようになる。
【００３８】
なお本実施形態にあって、前記上翼板２３と下翼板２４の各フランジ２６，２７間の間隙を、上記折返し側縁部１５を除くファスナーテープ主体部１６が挿通可能な寸法に設定している。そきため、スライダー２０の案内通路２８を移動するファスナーテープ１１の折返し側縁部１５とファスナーエレメント列１２との収容形態を大きく変えることがなくなり、スライダーを更に円滑に摺動させることができるようになる。
【００３９】
また上述のように突条２５ａを設けることにより、同突条２５ａの下端傾斜面２５ａ−１と下翼板２４との間に上記ファスナーエレメント列１２を案内するエレメント案内空間と、前記突条２５ａの側面、前記エレメント案内空間及び前記上翼板２３によって囲まれる空間を、各ファスナーテープ１１の前記折返し側縁部１５を収容案内するテープ側縁部案内空間とに画成している。その結果、ファスナーエレメント列１２は案内通路２８の下部に存在する上記エレメント案内空間を案内されて摺動する一方で、左右のファスナーテープ１１の前記折返し側縁部１５はファスナーエレメント列１２が移動する前記エレメント案内空間の上方に独立して画成される前記テープ側縁部案内空間を摺動案内される。
【００４０】
図１０及び図１１は、従来のスライダー付き隠しスライドファスナーを装着した靴２の一例と、本発明のスライダー付き隠しスライドファスナーを装着した靴１の一例とを示している。図１０に示す靴２は、その甲部分に上記特許文献２に開示された従来のスライダー２０５を取り付けた隠しスライドファスナー２００を装着している。また、図１１に示す靴１は本発明のスライダー２０を取り付けた隠しスライドファスナー１０を装着している。
【００４１】
これらの図からも理解できるように、本発明の隠しスライドファスナー１０を装着した靴１では、隠しスライドファスナー１０のエレメント縫着糸１７が外部に全く表出せず、そのため縫目を通して水などが内部に浸入しないばかりでなく、記述したとおり左右のファスナーテープの折返し側縁部の端縁同士が密着するため、その左右端縁間の隙間からも水などが浸入することがなくなり、全体としての防水性能が向上する。これに対して、従来の靴２では、その表面にファスナーエレメントの縫着糸１７が表出するため、その縫目から水が浸入しやすく、ファスナーエレメントの隙間を通して靴２の内部まで水が浸透するばかりでなく、縫着線が他数本にわたって作られるためファッション的にくどくなる。
【図面の簡単な説明】
【００４２】
【図１】本発明の隠しスライドファスナーの一部上面図である。
【図２】図１におけるII-II 線に沿った矢視断面図である。
【図３】本発明の好適な実施形態をである隠しスライドファスナー用スライダーを上方斜めから見た斜視図である。
【図４】同スライダーを下方から見た斜視図である。
【図５】同スライダーを肩口側から見た正面図である。
【図６】図５におけるVI-VI 線に沿った矢視断面図である。
【図７】本実施形態によるスライドファスナーの半部断面図である。
【図８】従来の通常タイプのスライドファスナーにおけるスライダー装着部の横断面図である。
【図９】従来の隠しタイプのスライドファスナーにおけるスライダー装着部の横断面図である。
【図１０】本発明のスライダー付き隠しスライドファスナーを装着した靴の外観を示す斜視図である。
【図１１】従来のスライダー付き隠しスライドファスナーを装着した靴の外観を示す斜視図である。
【符号の説明】
【００４３】
１，２            靴
１０              隠しスライドファスナー
１１              ファスナーテープ
１２              ファスナーエレメント列
１４              ファスナーエレメント
１４ａ            噛合頭部
１４ｂ            上下脚部
１４ｃ            連結部
１５              折返し側縁部
１５ａ            折返し片
１６              テープ主体部
１７              縫着糸
１８              ファスナーストリンガー
１９              芯紐
２０              スライダー
２１              スライダー胴体
２２              引手
２２ａ            軸部
２２ｂ            カム面
２３              上翼板
２３ａ            膨出部
２３ａ−１        斜面
２４              下翼板
２５              連結柱
２５ａ            突条
２５ａ−１        傾斜面
２５ｂ            スプリング係着孔
２６              上部フランジ
２７              下部フランジ
２８              案内通路
２９              ランド部
２９ａ            爪部挿通孔
３０              引手保持柱
３１              停止爪付きスプリング
３１ａ            爪部
３１ｂ            基端部
３２              前柱
３３              後柱
３４              スプリング収容溝
【図１】
2006015069.tif 000003
【図２】
2006015069.tif 000004
【図３】
2006015069.tif 000005
【図４】
2006015069.tif 000006
【図５】
2006015069.tif 000007
【図６】
2006015069.tif 000008
【図７】
2006015069.tif 000009
【図８】
2006015069.tif 000010
【図９】
2006015069.tif 000011
【図１０】
2006015069.tif 000012
【図１１】
2006015069.tif 000013